(57)【要約】      （修正有）【課題】コンパクトに折りたたんでバッグとして容易に携帯することができる携帯型ベビーベッドを提供する。【解決手段】展開してベビーベッドとして使用することができる一方、折りたたんでバッグとして携帯することができる携帯型ベビーベッドにおいて、変形自在の柔軟性を有するシート状素材からなる略矩形の底部１と、底部１の上部空間を取り囲み、容易に折れ曲がらない硬質素材を用いた側壁２とを備え、側壁２が、底部１の一対の短辺にそれぞれ連結された一対の短壁２１，２３と、底部１の一対の長辺にそれぞれ連結された一対の長壁２２，２４とを備え、短壁２１，２３又は長壁２２，２４の一方が、上下方向に伸びる奇数本の折曲線２０１〜２０３を有し、側壁２が、短壁２１，２３及び長壁２２，２４を連結する壁連結線と、折曲線２０１〜２０３とにおいて折曲自在に形成される。【選択図】図７
2019213626.tif 000002
【特許請求の範囲】
【請求項１】
展開してベビーベッドとして使用することができる一方、折りたたんで携帯することができる携帯型ベビーベッドにおいて、
変形自在の柔軟性を有するシート状素材からなる略矩形の底部と、
前記底部の上部空間を取り囲み、容易に折れ曲がらない硬質素材を用いた側壁とを備え、
前記側壁が、前記底部の一対の短辺にそれぞれ連結された一対の短壁と、前記底部の一対の長辺にそれぞれ連結された一対の長壁とを備え、
前記短壁又は前記長壁の一方が、上下方向に伸びる奇数本の折曲線を有し、
前記側壁が、前記短壁及び前記長壁を連結する壁連結線と、前記折曲線とにおいて折曲自在に形成される携帯型ベビーベッド。
【請求項２】
前記長壁が、３つの前記折曲線を有し、
中央の前記折曲線が外側に向かい、両側の前記折曲線が内側に向かうように折り曲げられ、折り曲げられた前記長壁が、前記短壁によって挟まれることを特徴とする請求項１に記載の携帯型ベビーベッド。
【請求項３】
折りたたみ時に前記一対の短壁を互いに連結し近接して係止する連結係止具を備えたことを特徴とする請求項１又は２に記載の携帯型ベビーベッド。
【請求項４】
前記底部よりも厚いシート状の弾性部材からなり、前記底部を概ね覆うように前記底部上に配置されるマットを備えたことを特徴とする請求項１〜３のいずれかに記載の携帯型ベビーベッド。
【請求項５】
前記短壁が、折りたたみ状態で使用される下げ紐を備え、
展開状態において、前記下げ紐の把持部近傍を前記短壁の外側に固定する下げ紐固定部を備えたことを特徴とする請求項１〜４のいずれかに記載の携帯型ベビーベッド。
【発明の詳細な説明】
【技術分野】
【０００１】
本発明は、携帯型ベビーベッドに係り、更に詳しくは、容易に携帯することができるベビーベッドの改良に関する。
【背景技術】
【０００２】
ベビーベッドとして使用することができる一方、コンパクトに折りたたんでバッグとして容易に携帯することができる携帯型ベビーベッドが従来から知られている（例えば、特許文献１、２）。携帯型ベビーベッドは、外出時に折りたたんだ状態で携帯し、外出先で展開してベビーベッドとして使用される。例えば、公園などの屋外において使用され、あるいは、訪問先の友人宅などの屋内において使用される。
【０００３】
従来の携帯型ベビーベッドは、コンパクトに折りたたむことができるが、ベビーベッドとして使用するための展開作業や、バッグとして持ち運ぶための折りたたみ作業が繁雑であるという問題があった。例えば、展開及び折りたたみの方法が直感的でなく、簡単に使用することができるとはいえないものが多かった。また、展開及び折りたたみの作業が煩雑であり、例えば、特許文献１の発明では、バッグの下げ紐を着脱して折りたたむ必要があり、特許文献２の発明では、多くのジッパーを開閉して折りたたむ必要があった。
【０００４】
また、従来の携帯型ベビーベッドは、側壁を倒して折りたたむように構成されているため、側壁の自立性が十分でなく、ベビーベッドとしての使用中に側壁が倒れ込み易く、安全性を確保するために何らかの補強を行わなければならない。しかし、側壁の倒れ込みを防止するための補強手段を追加すれば、重量の増大などにより携帯性が損なわれ、あるいは、展開や折りたたみの作業性が損なわれるという問題があった。
【０００５】
また、特許文献２の発明では、展開状態において、バッグの下げ紐やポケットが、ベビーベッドの底部下側に位置している。このため、衛生上の観点から屋外で使用することができないという問題があった。また、屋内で使用する場合であっても、底部に凹凸が生じ易く快適性が損われるという問題があった。
【０００６】
さらに、特許文献１の発明では、展開時に下げ紐の付け替えが行われ、ベビーベッドの上部に下げ紐が取り付けられる。この場合、衛生上の問題は生じないが、付け替えの煩雑さが生じるのに加えて、ベビーベッドの上部に下げ紐があるため、下げ紐が乳幼児に絡みついた場合に事故につながる可能性があり、安全性に問題があった。
【０００７】
さらに、従来の携帯型ベビーベッドは、複数のポケットを備え、オムツや哺乳瓶などの物品を収容することができる。しかし、ポケットを設けることにより確保できる収容力には限界があり、十分な収容力を確保することが難しいという問題があった。
【先行技術文献】
【特許文献】
【０００８】
【特許文献１】特開２０１５−５４１７４号
【特許文献２】実用新案登録第３１６２７３９号公報
【発明の概要】
【発明が解決しようとする課題】
【０００９】
本発明は、上記の事情に鑑みてなされたものであり、展開又は折りたたみ時における作業性を向上させた携帯型ベビーベッドを提供することを目的とする。特に、展開又は折りたたみの作業が簡単で直感的でわかり易い携帯型ベビーベッドを提供することを目的とする。
【００１０】
また、安全性を向上させた携帯型ベビーベッドを提供することを目的とする。例えば、作業性や携帯性を損なうことなく、ベビーベッドとしての使用時における側壁の倒れ込みを抑制することを目的とする。また、作業性や携帯性を損なうことなく、携帯用の下げ紐による事故を防止することができる。
【００１１】
さらに、収容力を向上させた携帯型ベビーベッドを提供することを目的とする。
【課題を解決するための手段】
【００１２】
本発明の第１の態様による携帯型ベビーベッドは、展開してベビーベッドとして使用することができる一方、折りたたんで携帯することができる携帯型ベビーベッドにおいて、変形自在の柔軟性を有するシート状素材からなる略矩形の底部と、前記底部の上部空間を取り囲み、容易に折れ曲がらない硬質素材を用いた側壁とを備え、前記側壁が、前記底部の一対の短辺にそれぞれ連結された一対の短壁と、前記底部の一対の長辺にそれぞれ連結された一対の長壁とを備え、前記短壁又は前記長壁の一方が、上下方向に伸びる奇数本の折曲線を有し、前記側壁が、前記短壁及び前記長壁を連結する壁連結線と、前記折曲線とにおいて折曲自在に形成される。
【００１３】
この様な構成を採用することにより、いずれも上下方向に伸びる壁連結線及び折曲線において折り曲げることにより、コンパクトに折りたたむことができる。このため、折りたたみ作業が簡単であり、また、直感的に理解し易く、折りたたみ作業を迅速かつ容易に行うことができる。また、側壁を立てたままで折りたたむことができるため、側壁を倒して折りたたむ従来品に比べて側壁の自立性を向上させることができ、ベビーベッドとして使用している場合に、側壁が意図せず倒れ込むのを防止し、安全性を向上させることができる。さらに、乳幼児や物品を収容することにより、底部の変形が抑制され、意図せず側壁が折りたたまれるのを抑止することができるので、さらに安全性を向上させることができる。
【００１４】
本発明の第２の態様による携帯型ベビーベッドは、上記構成に加えて、前記長壁が、３つの前記折曲線を有し、中央の前記折曲線が外側、両側の前記折曲線が内側に向かうように折り曲げられ、折り曲げられた前記長壁が、前記短壁によって挟まれるように構成される。
【００１５】
この様な構成を採用することにより、一対の長壁を蛇腹状に折りたたみ、一対の短壁で挟み込むことができる。このため、ベビーベッドをコンパクトに折りたたむことができ、携帯性を向上させることができる。
【００１６】
本発明の第３の態様による携帯型ベビーベッドは、上記構成に加えて、折りたたみ時に前記一対の短壁を互いに連結し近接して係止する連結係止具を備える。
【００１７】
この様な構成を採用することにより、携帯時に意図せず展開するのを防止することができ、携帯性を向上させることができる。
【００１８】
本発明の第４の態様による携帯型ベビーベッドは、上記構成に加えて、前記底部よりも厚いシート状の弾性部材からなり、前記底部を概ね覆うように前記底部上に配置されるマットを備える。
【００１９】
この様な構成を採用することにより、ベビーベッドとして使用する際の快適性を向上させることができる。また、折曲げられようとする側壁の内面がマットと干渉することにより、意図せずに側壁が折りたたまれるのを防止することができる。
【００２０】
本発明の第５の態様による携帯型ベビーベッドは、上記構成に加えて、前記短壁が、折りたたみ状態で使用される下げ紐を備え、展開状態において、前記下げ紐の把持部近傍を前記短壁の外側に固定する下げ紐固定部を備える。
【００２１】
この様な構成を採用することにより、下げ紐がベビーベッドの収容部内に垂れ下がり、乳幼児に絡みつくことによって発生する事故を防止することができ、安全性を向上させることができる。また、下げ紐を着脱する場合に比べ、展開及び折りたたみ作業が容易であり、作業性を向上させることができる。
【発明の効果】
【００２２】
本発明によれば、展開又は折りたたみ時における作業性を向上させた携帯型ベビーベッドを提供することができる。特に、展開又は折りたたみの作業が簡単で直感的でわかり易い携帯型ベビーベッドを提供することができる。
【００２３】
また、安全性を向上させた携帯型ベビーベッドを提供することができる。特に、作業性や携帯性を損なうことなく、ベビーベッドとしての使用時における側壁の倒れ込みを抑制することができる。また、作業性や携帯性を損なうことなく、携帯用の下げ紐による事故を防止することができる。
【００２４】
さらに、収容力を向上させた携帯型ベビーベッドを提供することができる。
【図面の簡単な説明】
【００２５】
【図１】本発明の実施の形態による携帯型ベビーベッド１００の一構成例を示した斜視図であり、ベビーベッド１０１として使用される展開状態が示されている。
【図２】図１のベビーベッド１０１を示した正面図である。
【図３】図１のベビーベッド１０１を示した側面図である。
【図４】図１のベビーベッド１０１を示した平面図である。
【図５】図１のベビーベッド１０１を図４のＡ−Ａ切断線で切断した場合の様子を示した断面図である。
【図６】ベビーベッド１０１からバッグ１０２へ変形する様子を示した図であり、マット３を取り外す様子が示されている。
【図７】ベビーベッド１０１からバッグ１０２へ変形する様子を示した図であり、長壁２２，２４を折りたたむときの様子が示されている。
【図８】ベビーベッド１０１からバッグ１０２へ変形する様子を示した図であり、折りたたまれたマット３を収容する様子が示されている。
【図９】図１のベビーベッド１０１を折りたたむことによって得られるバッグ１０２の一構成例を示した斜視図である。
【発明を実施するための形態】
【００２６】
図１〜５は、本発明の実施の形態による携帯型ベビーベッド１００の一構成例を示した図である。図１は斜め上方向から見た斜視図、図２は正面図、図３は側面図、図４は平面図である。また、図５は、図４のＡ−Ａ切断線により切断した場合の様子を示した断面図である。
【００２７】
この携帯型ベビーベッド１００は、ベビーベッド１０１として使用される展開状態と、バッグ１０２として携帯される折りたたみ状態との間で自在に変形することができる。図１〜５には展開状態のベビーベッド１０１が示されている。折りたたみ状態のバッグ１０２は図９に示されており、詳細については後述する。なお、本明細書では、便宜上、展開状態をベビーベッド１０１、折りたたみ状態をバッグ１０２と呼ぶが、いずれも同じ携帯型ベビーベッド１００の異なる形態を指している。
【００２８】
Ａ．ベビーベッド１０１の基本的構成
ベビーベッド１０１は、乳幼児が就寝するためのベッドであり、平坦な載置面上において使用される。ベビーベッド１０１は、載置面に接する底部１と、底部１に連結された側壁２とを備え、底部１の上部空間を側壁２で取り囲み、その上方を開口させた形状を有し、この空間内に乳幼児が収容される。また、底部１の上面には、マット３が配置されている。
【００２９】
（１）底部１
底部１は、携帯型ベビーベッド１００の底面を形成する部材である（図４、図５を参照）。底部１は、載置面に沿って略水平に配置される略矩形のシート形状からなる部材であり、変形自在の柔軟性を有する薄い素材、例えば、ポリエステルが用いられる。底部１は、例えば、略長方形に形成され、長手方向が身長方向、短手方向が肩幅方向となるように就寝中の乳幼児を収容する。このため、底部１は、例えば、長手方向が約６６０ｍｍ、短手方向が約４８０ｍｍに形成される。
【００３０】
（２）側壁２
側壁２は、底部１を取り囲むように配置された保護壁であり、底部１の周縁部に連結され、底部１の周縁部から上方に向かって延びる（図１、図４を参照）。
【００３１】
側壁２は、互いに対向する一対の短壁２１，２３と、互いに対向する一対の長壁２２，２４とにより構成される。短壁２１，２３は、底部１の短辺に対応して設けられ、長壁２２，２４は、底部１の長辺に対応して設けられる。また、互いに隣接する短壁２１，２３と長壁２２，２４とは、底部１の頂点に対応する４つの壁連結線２００上において折曲自在となるように互いに連結される。
【００３２】
一対の短壁２１，２３は、その下端が底部１の一対の短辺にそれぞれ連結され、当該短辺から上方に向かって延びる略平板形状からなる。短壁２１，２３は、例えば、幅４８０ｍｍ、高さ２５０ｍｍの略長方形に形成される。短壁２１，２３には、容易に屈曲することがない強度を有する硬質素材が用いられる。例えば、厚紙板や樹脂板などの硬質板状体をポリエチレン製の表地及び裏地の間に挟み込んで構成される。また、硬質板状体の内面又は両面にスポンジなどの緩衝材をさらに設けることもできる。
【００３３】
また、短壁２１，２３には、外面にポケット４１、上部に下げ紐４２、両側端及び下端に連結係止具４３〜４５がそれぞれ設けられている。
【００３４】
一対の長壁２２，２４は、その下端が底部１の一対の長辺にそれぞれ連結され、当該長辺から上方に向かって延びる略平板形状からなる。長壁２２，２４は、短壁２１，２３に比べて高さが低く、さらに長手方向の中央部が両端部よりも低くなるように形成される。具体的には、長壁２２，２４の両端部の上端は、短壁２１，２３の上端よりもやや低く、中央部へ向かって滑らかに下降する曲線からなり、中央部の上端は、水平に伸びる直線からなり、一定の高さを有する。長壁２２，２４を短壁２１，２３よりも低くすることにより、バッグ１０２として携帯する場合に、短壁２１，２３間に挟まれた長壁２２，２４が短壁２１，２３の上方に突出するのを防止することができる。また、長壁２２，２４の両端部よりも中央部の高さを低くすることにより、長壁２２，２４の自立性を顕著に低下させることなく利便性を向上させることができる。例えば、おむつ替えのような乳幼児の世話を容易に行うことができ、あるいは、外部からの乳幼児の視認性を向上させることができる。
【００３５】
長壁２２，２４は、３つの折曲線２０１〜２０３をそれぞれ有する。折曲線２０１〜２０３は、上下方向に延び、長壁２２，２４の下端から上端に至る折り曲げ線であり、少なくとも一方向に容易に屈曲させることができる。中央の折曲線２０２は、長辺の中央に位置し、両側の折曲線２０１，２０３は、中央の折曲線２０２から等距離に位置する。例えば、長辺を４等分する位置に折曲線２０１〜２０３を設けることができる。
【００３６】
長壁２２，２４は、折曲線２０１〜２０３上において屈曲自在となるように形成される一方、折曲線２０１〜２０３以外においては容易に屈曲しないように形成される。長壁２２，２４には、容易に屈曲することがない強度を有する硬質素材が用いられ、折曲線２０１〜２０３上において分割された複数の硬質部材を屈曲自在に連結して構成される。例えば、厚紙板や樹脂板などからなる複数の硬質板状体をポリエチレン製の表地及び裏地の間に挟み込んで構成される。また、硬質板状体の内面又は両面にスポンジなどの緩衝材をさらに設けることもできる。
【００３７】
（３）マット３
マット３は、底部１の上面に配置されるマットレスであり、底部１よりもやや小さい相似形状からなり、底部１の上面を概ね覆うことができる。マット３は、シート形状に加工された弾性部材であり、例えば、スポンジをポリエチレン製の表地及び裏地間に挟み込んで構成される。マット３は、上方からの荷重により適度に変形するため、底部１上にマット３を敷くことにより、設置面が硬い場合でも就寝時の快適性を確保することができる。
【００３８】
マット３は、折りたたむための１又は２以上の折曲線３０を有する。折曲線３０は、容易に折り曲げることができる折り曲げ線であり、短辺と略平行に延び、一方の長辺から他方の長辺に至るように形成される。また、折りたたんだ状態の幅及び高さが、短壁２１，２３の幅及び高さよりも小さくなるように、折曲線３０が設けられる。ここでは、長辺を３等分する位置に２本の折曲線３０が設けられている。
【００３９】
マット３は、弾性部材からなり、底部１よりも厚く形成され、変形自在の底部１とは異なり、外力に対し反発するように構成されている。このため、底部１上にマット３を配置することにより、底部１の変形が抑制される。特に、マット３上に乳幼児や荷物を載せることにより、底部１の変形がより確実に抑制できる。
【００４０】
（４）ポケット４１
ポケット４１は、短壁２１，２３の外面上に設けられる補助収容部である（図２〜５を参照）。ポケット４１は、ベビーベッド１０１及びバッグ１０２のいずれとして使用する場合にも、おむつや哺乳瓶などを収容することができる。さらに、ベビーベッド１０１として使用する場合には、下げ紐を側壁２の外側に固定する下げ紐固定部として用いられる。
【００４１】
ポケット４１は、短壁２１，２３の下端及び両側端に至る形状を有し、短壁２１及び２３の上端近傍を除く大部分に形成されている。収容物は、ポケット４１上部の出入口から出し入れすることができ、当該出入口は、周縁部にゴム紐等が縫付され、収容物が容易に脱落しないように弾性的に閉口するように付勢されている。また、下げ紐４２の把持部をポケット４１内に挿入することにより、下げ紐４２を側壁２の外面側に固定することができる。
【００４２】
バッグ１０２を携帯する場合、下げ紐４２の中央付近を把持し、あるいは、肩にかけてバッグ１０２を持ち上げる。このとき、下げ紐４２の中央部を含む大部分は、短壁２１，２３の上端よりも高い位置に引き上げられる。このため、ベビーベッド１０１として使用している場合、下げ紐４２が収容部内に垂れ下がった状態になれば、乳幼児に絡みついて重大な事故につながる可能性がある。このため、ベビーベッド１０１として使用する場合には、下げ紐４２の把持部をポケット４１内に挿入して固定することにより、このような事故を防止することができる。
【００４３】
（５）下げ紐４２
下げ紐４２は、側壁２の上部に取り付けられ、バッグ１０２の下げ紐としても用いられる。下げ紐４２は、短壁２１，２３の外面上に取り付けられたループ形状の紐又は帯であり、下げ紐４２の両端は、短壁２１，２３の上端近傍の同じ高さに、水平方向の位置を異ならせて固着されている。例えば、ポケット４１の出入口よりも上方に、下げ紐４２の両端が取り付けられる。
（６）連結係止具４３〜４５
連結係止具４３〜４５は、一対の短壁２１，２３にそれぞれ設けられた開閉自在の連結具である。バッグ１０２として使用される折りたたみ状態の場合には、連結係止具４３〜４５によって、一対の短壁２１，２３を互いに近接させて連結し、長壁２２，２４を折りたたんだ状態に維持する一方、ベビーベッド１０１として使用される展開状態の場合には、連結係止具４３〜４５は連結されず使用されない。
【００４４】
連結係止具４３，４４は、短壁２１，２３の両側端の中央付近に設けられ、連結係止具４５は、短壁２１，２３の下端の中央付近に設けられている。また、一方の短壁２１には、雌型の連結係止具４３〜４５が設けられ、他方の短壁２３には、雄型の連結係止具４３〜４５が設けられ、一対の短壁２１，２３の対応する連結係止具４３〜４５同士が開閉可能に連結される。例えば、樹脂製の連結バックルや面ファスナーを連結係止具４３〜４５として用いることができる。
【００４５】
Ｂ．バッグ１０２への変形
図６〜９は、携帯型ベビーベッド１００をベビーベッド１０１からバッグ１０２へ変形する様子を時系列に示した図である。
【００４６】
図６は、マット３を取り外すときの様子を示した図である。マット３を取り外すことにより、ベビーベッド１０１の底部１が変形自在になる。
【００４７】
図７は、長壁２２，２４を折りたたむときの様子を示した図である。長壁２２，２４は、折曲線２０１〜２０３上において折り曲げられる。このとき、互いに隣接する折曲線２０１〜２０３に関し、山折り、谷折りの折り方を互いに異ならせることにより、長壁２２，２４を蛇腹状に折り曲げることができる。
【００４８】
短壁２１，２３及び長壁２２，２４は、壁連結線２００上において折曲自在に連結されている。また、長壁２２，２４は、折曲線２０１〜２０３上において折曲自在に形成されている。このため、長壁２２，２４を蛇腹状に折り曲げることにより、短壁２１，２３間に挟み込まれた状態で、長壁２２，２４を折りたたむことができる。長壁２２，２４の下端は底部１に連結されているため、変形自在の底部１を部分的に上方に持ち上げて皺を形成するように大きく変形させることにより、長壁２２，２４を蛇腹状に折りたたむことができる。
【００４９】
長壁２２，２４の折りたたみは、マット３を取り外すことにより可能になる。マット３を底部１上に配置している場合、長壁２２，２４を折り曲げようとすれば、長壁２２，２４の内面がマット３と干渉し、長壁２２，２４の折曲線２０１〜２０３を内側に移動させることができない。また、マット３を配置することにより、底部１が変形自在ではなくなるため、長壁２２，２４を折り曲げることができない。なお、マット３を配置していなくても、乳幼児を収容している場合や、乳幼児に代えて荷物を収容している場合でも同様である。
【００５０】
図７では、両側の折曲線２０１，２０３が、内側へ折り曲げられ（外側からみて谷折り）、中央の折曲線２０２が、外側へ折り曲げられている（外側からみて山折り）。このような変形は、両側の折曲線２０１，２０３を外側から内側に押し、あるいは、中央の折曲線２０２を内側から外側に押すことによって実現される。
【００５１】
図８は、折りたたまれたマット３を収容する様子が示されている。折曲線２０１〜２０３を途中まで折り曲げたところで、折りたたまれたマット３が収容される。このとき、マット３以外にも収容したい物品がある場合には、マット３とともに収容することができる。その後、折曲線２０１〜２０３をさらに折り曲げられる。また、下げ紐４２がポケット４１から取り出される。そして、最後に連結係止具４３〜４５を連結させることにより、バッグ１０２となる（図９を参照）。
【００５２】
Ｃ．バッグ１０２
図９は、図１のベビーベッド１０１を折りたたむことによって得られるバッグ１０２の一構成例を示した斜視図である。バッグ１０２は、短壁２１，２３の間に、折りたたまれた長壁２２，２４を挟み込んで構成される。短壁２１，２３は、連結係止具４３〜４５により互いに連結され、折りたたまれた長壁２２，２４が展開するのを防止している。
【００５３】
折りたたまれた長壁２２，２４は、短壁２１，２３から突出しないように形成されている。つまり、長壁の３つの折曲線２０１〜２０３は、両端の折曲線２０１，２０３が、内側に折れ曲がり、中央の折曲線２０２が外側に折れ曲がっている。また、両端の折曲線２０１、２０３は、中央の折曲線２０２までの距離が壁連結線２００までの距離以下になるように配置されている。
【００５４】
短壁２１，２３の外面には、ポケット４１がそれぞれ設けられ、オムツや哺乳瓶などを収容することができる。また、長壁２２，２４を折りたたむことにより、展開時に比べれば小さな空間になっているが、依然として、底部１及び側壁２で取り囲まれた領域が存在し、マット３を収納したのと同様にして、短壁２１，２３間において物品を脱落しないように収容することができる。このため、従来の携帯型ベビーベッドに比べ、折りたたんでバッグ１０２として使用する場合における収容力を大幅に向上させることができる。
【００５５】
Ｄ．効果
（１）  本実施の形態による携帯型ベビーベッド１００は、マット３を取り外し、長壁２２，２４を折りたたみ、連結係止具４３〜４５を連結することにより、ベビーベッド１０１をバッグ１０２に変形させることができる。このため、変形作業が簡単であり、かつ、直感的に理解しやすいために、変形作業が容易である。
【００５６】
（２）  また、短壁２１，２３及び長壁２２，２４は、壁連結線２００により互いに連結され、収容空間を取り囲む側壁２を構成している。また、長壁２２，２４には、上下方向に延びる折曲線２０１〜２０３が形成され、立てた状態のままで折りたたむことができる。このため、側壁２を分離し、それぞれを設置面に倒して折りたたむ従来の形態型ベビーベッドに比べ、ベビーベッド１０１としての使用中に側壁２が倒れ込みにくく、側壁２の自立性を向上させることができ、安全性を確保することができる。また、展開及び折りたたみ作業中に底部１以外が設置面に触れないため、屋外で使用する場合であっても衛生的である。
【００５７】
さらに、変形自在の底部１に長壁２２，２４が連結されているため、長壁２２，２４を折りたたむ際には、底部１の一部を持ち上げて皺を寄せるように大きく変形させる必要がある。このため、底部１上にマット３を配置し、あるいは、乳幼児や物品を収容することにより、底部１の変形を抑制すれば、長壁２２，２４を折りたたむことができなくなる。このため、ベビーベッド１０１の使用中に側壁２が意図せず折りたたまれるのを防止することができる。従って、側壁２の自立性をさらに向上させ、安全性をさらに確保することができる。
【００５８】
（３）  また、ベビーベッド１０１として使用している場合であっても、ポケット４１や下げ紐４２が設置面に接することがないため、屋内だけでなく、屋外でも利用することができる。また、底部１に凹凸が生じることにより快適性が低下することがない。
【００５９】
（４）  また、ベビーベッド１０１として使用している場合に、下げ紐４２の把持部をポケット４１内に収容し、側壁２の外側に固定することができる。このため、下げ紐４２が収容部内に垂れ下がり、乳幼児に絡みつくことにより事故が発生するのを防止することができる。
【００６０】
（５）  また、長壁２２，２４を蛇腹状に折りたたむことにより、コンパクトなバッグ１０２へ変形させるため、折りたたみ後も底部１及び側壁２で囲まれた袋状の空間を保持することができる。このため、折りたたんだマット３やその他の物品をこの空間に収容することができる。従って、バッグ１０２の形態における収納力を大幅に向上させることができる。
【００６１】
Ｅ．その他
（１）  なお、本実施の形態では、長壁２２，２４が、３つの折曲線２０１〜２０３を有する例について説明したが、本発明は、このような場合のみに限定されない。５以上の奇数個の折曲線を有するように構成することもできる。この場合、最も外側の折曲線は内側に向かって折り曲げられ（外側から見て谷折り）、隣接する折曲線は、山折り、谷折りの折り方が互いに異なるように折曲げられる。
【００６２】
（２）  また、本実施の形態では、一対の長壁２２，２４が、折曲線２０１〜２０３を有し、長壁２２，２４を折りたたむ例について説明したが、本発明は、このような場合のみに限定されない。例えば、短壁２１，２３を折りたたむように構成することもできる。この場合、折曲線は１以上の奇数個にすることができ、ポケット４１、下げ紐４２及び連結係止具４３〜４５は、長壁２２，２４に設けられる。
【００６３】
（３）  また、各折曲線２０１〜２０３は、あらかじめ定められた山折り、谷折りのいずれか一方の方法のみで常に折り曲げられる。このため、各折曲線２０１〜２０３は、内側又は外側の一方に向かう折り方のみについて折曲自在となり、逆方向には折曲げることができないように構成することもできる。この場合、折りたたみ時の作業性をさらに向上させることができる。
【００６４】
（４）  本実施の形態では、マット３を備える例について説明したが、マット３を備えることは必須ではない。
【符号の説明】
【００６５】
１          底部
２          側壁
３          マット
２１，２３  短壁
２２，２４  長壁
２００      壁連結線
２０１〜２０３  折曲線
３０        折曲線
４１        ポケット
４２        下げ紐
４３〜４５  連結係止具
１００      携帯型ベビーベッド
１０１      ベビーベッド
１０２      バッグ
【図１】
2019213626.tif 000003
【図２】
2019213626.tif 000004
【図３】
2019213626.tif 000005
【図４】
2019213626.tif 000006
【図５】
2019213626.tif 000007
【図６】
2019213626.tif 000008
【図７】
2019213626.tif 000009
【図８】
2019213626.tif 000010
【図９】
2019213626.tif 000011